(57)【要約】【課題】位相調整で光ディスクドライブからウォッブル信号を検出する装置及び方法を提供する。【解決手段】第１増幅部で増幅されたＡＤ信号及び第２増幅部で増幅されたＢＣ信号の位相が互いに一致するように前記増幅された信号がディレイセルで位相調整され、減算器が前記位相調整された信号間の差信号を基礎ウォッブル信号として生成する光ディスクドライブ。これにより生成された基礎ウォッブル信号は、位相ロッキングされたデジタルの最終ウォッブル信号を生成する基盤となる。【選択図】図６
2007026641.tif 000002
【特許請求の範囲】
【請求項１】
第１ ＲＦ信号を増幅する第１増幅部と、
第２ ＲＦ信号を増幅する第２増幅部と、
前記第１増幅部の出力及び前記第２増幅部の出力のうち少なくとも一つの位相を調整して、互いの位相が同じであるか、少なくとも互いの位相差が減少した信号を出力する少なくとも一つのディレイセルと、
前記少なくとも位相差が減少した信号間の差信号をウォッブル信号として生成する減算器と、を備えることを特徴とする光ディスクドライブのウォッブル検出器。
【請求項２】
前記ウォッブル信号を帯域通過フィルタリングするＢＰＦと、
前記帯域通過フィルターの出力をデジタル信号に変換する比較器と、
前記比較器の出力信号によって周波数が一定にロッキングされた信号を最終ウォッブル信号として生成するＰＬＬと、をさらに備えることを特徴とする請求項１に記載の光ディスクドライブのウォッブル検出器。
【請求項３】
前記第１及び第２ ＲＦ信号それぞれは、光ディスクから情報を読み取る光ピックアップ装置に含まれた相異なる二つの光素子からピックアップされた信号が合成された信号であることを特徴とする請求項１に記載の光ディスクドライブのウォッブル検出器。
【請求項４】
前記少なくとも一つのディレイセルは、
レジスタに設定された値によって位相を調整することを特徴とする請求項１に記載の光ディスクドライブのウォッブル検出器。
【請求項５】
前記レジスタ値は、
ユーザーが設定することを特徴とする請求項４に記載の光ディスクドライブのウォッブル検出器。
【請求項６】
前記レジスタ値は、
前記第１増幅部の出力及び前記第２増幅部の出力によって自動設定されることを特徴とする請求項４に記載の光ディスクドライブのウォッブル検出器。
【請求項７】
前記第１増幅部は、
前記第１ ＲＦ信号の大きさをプリアンプする第１増幅器と、
前記第１増幅器の出力を一定の大きさに合わせて出力する第１ ＡＧＣと、を備え、
前記第２増幅部は、
前記第２ ＲＦ信号の大きさをプリアンプする第２増幅器と、
前記第２増幅器の出力を一定の大きさに合わせて出力する第２ ＡＧＣと、を備えることを特徴とする請求項６に記載の光ディスクドライブのウォッブル検出器。
【請求項８】
前記第１ ＡＧＣの出力をデジタル信号に変換する第１比較器と、
前記第２ ＡＧＣの出力をデジタル信号に変換する第２比較器と、
前記デジタル変換された信号を入力されるＮＡＮＤロジックと、
前記ＮＡＮＤロジックの出力を積分する積分器と、
前記積分器の出力の大きさによって値を設定する少なくとも一つのレジスタと、をさらに備えることを特徴とする請求項７に記載の光ディスクドライブのウォッブル検出器。
【請求項９】
前記第１ ＡＧＣの出力をデジタル信号に変換する第１比較器と、
前記第２ ＡＧＣの出力をデジタル信号に変換する第２比較器と、
前記デジタル変換された信号を入力されるＮＡＮＤロジックと、
前記ＮＡＮＤロジックの出力のパルス幅をクロック信号でカウントするカウンタと、
前記カウントサイズによって値を設定する少なくとも一つのレジスタと、をさらに備えることを特徴とする請求項７に記載の光ディスクドライブのウォッブル検出器。
【請求項１０】
前記レジスタ値は、
前記生成されたウォッブル信号のフィードバックによって自動設定されることを特徴とする請求項４に記載の光ディスクドライブのウォッブル検出器。
【請求項１１】
前記ウォッブル信号をフィードバックされて高周波通過フィルタリングするＨＰＦと、
前記ＨＰＦの出力のピーク・ツー・ピークサイズを検出するピーク検出器と、
前記ピーク・ツー・ピークサイズによって値を設定する少なくとも一つのレジスタと、を備えることを特徴とする請求項１０に記載の光ディスクドライブのウォッブル検出器。
【請求項１２】
前記少なくとも一つのディレイセルは二つであり、前記少なくとも一つのレジスタも二つであり、
前記ディレイセルそれぞれは、前記レジスタそれぞれに設定された値によって前記第１増幅部の出力及び前記第２増幅部の出力それぞれの位相を調整することを特徴とする請求項１１に記載の光ディスクドライブのウォッブル検出器。
【請求項１３】
前記ディレイセルそれぞれは、前記第１増幅部の出力及び前記第２増幅部の出力それぞれを互いに逆方向に位相調整することを特徴とする請求項１２に記載の光ディスクドライブのウォッブル検出器。
【請求項１４】
前記少なくとも一つのディレイセルは一つであり、前記少なくとも一つのレジスタも一つであり、
前記ディレイセルは、前記レジスタに設定された値によって前記第１増幅部の出力及び前記第２増幅部の出力のうちいずれか一つの位相を調整することを特徴とする請求項１１に記載の光ディスクドライブのウォッブル検出器。
【請求項１５】
第１ ＲＦ信号を増幅するステップと、
第２ ＲＦ信号を増幅するステップと、
前記増幅された信号のうち少なくとも一つの位相を調整して、互いの位相が同じであるか、または少なくとも互いの位相差が減少した信号を出力するステップと、
前記少なくとも位相差が減少した信号間の差信号をウォッブル信号として生成するステップと、を含むことを特徴とする光ディスクドライブのウォッブル検出方法。
【請求項１６】
前記ウォッブル信号を帯域通過フィルタリングするステップと、
前記帯域通過フィルターの出力をデジタル信号に変換するステップと、
前記変換された信号によって周波数が一定にロッキングされた信号を最終ウォッブル信号として生成するステップと、をさらに含むことを特徴とする請求項１５に記載の光ディスクドライブのウォッブル検出方法。
【請求項１７】
前記第１及び第２ ＲＦ信号それぞれは、光ディスクから情報を読み取る光ピックアップ装置に含まれた相異なる二つの光素子からピックアップされた信号が合成された信号であることを特徴とする請求項１５に記載の光ディスクドライブのウォッブル検出方法。
【請求項１８】
レジスタに設定された値によって前記位相調整を行うステップをさらに含むことを特徴とする請求項１５に記載の光ディスクドライブのウォッブル検出方法。
【請求項１９】
前記レジスタ値は、
ユーザーが設定することを特徴とする請求項１８に記載の光ディスクドライブのウォッブル検出方法。
【請求項２０】
前記増幅された信号によって前記レジスタ値を自動設定するステップをさらに含むことを特徴とする請求項１８に記載の光ディスクドライブのウォッブル検出方法。
【請求項２１】
前記第１ ＲＦ信号を増幅するステップは、
前記第１ ＲＦ信号の大きさを第２プリアンプするステップと、
前記第１プリアンプされた信号を一定の大きさに合わせるために第１自動ゲインコントロールするステップと、を含み、
前記第２ ＲＦ信号を増幅するステップは、
前記第２ ＲＦ信号の大きさを第２プリアンプするステップと、
前記第２プリアンプされた信号を一定の大きさに合わせるために第２自動ゲインコントロールするステップと、を含むことを特徴とする請求項２０に記載の光ディスクドライブのウォッブル検出方法。
【請求項２２】
前記レジスタ値を設定するステップは、
前記第１自動ゲインコントロールされた信号をデジタル信号に変換するステップと、
前記第２自動ゲインコントロールされた信号をデジタル信号に変換するステップと、
前記デジタル変換された信号を入力されてＮＡＮＤロジック演算するステップと、
前記ＮＡＮＤロジック演算結果を積分するステップと、
前記積分結果の大きさによって前記レジスタ値を設定するステップと、を含むことを特徴とする請求項２１に記載の光ディスクドライブのウォッブル検出方法。
【請求項２３】
前記レジスタ値を設定するステップは、
前記第１自動ゲインコントロールされた信号をデジタル信号に変換するステップと、
前記第２自動ゲインコントロールされた信号をデジタル信号に変換するステップと、
前記デジタル変換された信号を入力されてＮＡＮＤロジック演算するステップと、
前記ＮＡＮＤロジック演算結果のパルス幅をクロック信号でカウントするステップと、
前記カウントサイズによって前記レジスタ値を設定するステップと、を含むことを特徴とする請求項２１に記載の光ディスクドライブのウォッブル検出方法。
【請求項２４】
前記生成されたウォッブル信号のフィードバックによって前記レジスタ値を自動設定するステップをさらに含むことを特徴とする請求項１８に記載の光ディスクドライブのウォッブル検出方法。
【請求項２５】
前記レジスタ値を設定するステップは、
前記ウォッブル信号をフィードバックされて高周波通過フィルタリングするステップと、
前記高周波通過フィルタリングされた出力のピーク・ツー・ピークサイズを検出するステップと、
前記ピーク・ツー・ピークサイズによって前記レジスタ値を設定するステップと、を含むことを特徴とする請求項２４に記載の光ディスクドライブのウォッブル検出方法。
【発明の詳細な説明】
【技術分野】
【０００１】
本発明は、光ドライブまたは光ディスクの再生／記録システムに係り、特に、位相調整でウォッブル信号を検出する装置及び方法に関する。
【背景技術】
【０００２】
一般的に光ドライブは、ＣＤ−ＲＯＭのようなディスクを再生のみできる製品群と、ＣＤ−ＲＷ、ＤＶＤ−ＲＷのようなディスクを再生だけでなく記録も可能な製品群とに大別される。特に、記録可能な光ドライブは、ブランク光ディスクのアドレス、すなわち、トラック位置情報を得るためにウォッブル信号を検出できなければならない。
【０００３】
図１は、セクターを表示した一般的な光ディスク１００を示す図面である。図１を参照すれば、光ディスク１００に記録される情報を区分する各セクターは、識別部１１０とトラック部１２０とで構成される。ここで、図１は、セクターを分かりやすく拡大した図面であり、実際に各セクターは数ｍｍに過ぎず、各セクターの長さは内周から外周へ行くほど大きくなる。前記識別部１１０には、各セクターの位置を知らせる識別情報が記録され、前記トラック部１２０の各トラックにはオーディオ、またはビデオなどのデータが記録される。ここで、前記トラック部１２０の各トラックは半径方向に数十ｎｍ振幅で微少量振動し、ウォッブルの周波数はセクター長さによって異なって現れる。
【０００４】
図２は、一般的な光ディスクドライブ２００のブロック図である。図２を参照すれば、前記光ディスクドライブ２００は、スピンドルモータ２１０、スレッドモータ２２０、ピックアップ装置２３０、サーボ制御部２４０、再生及び記録部２５０、ウォッブル信号検出部２６０、及びシステムコントローラ２７０を備える。
光ディスクは、前記スピンドルモータ２１０の回転軸にローディングされて回転し、前記ピックアップ装置２３０は、前記スレッドモータ２２０の回転力によって左右運動できる。前記ピックアップ装置２３０は、前記サーボ制御部２４０により制御されて光ディスクに記録された情報を読み取るか、エンコーディングされたデータを記録する。前記サーボ制御部２４０は、前記ピックアップ装置２３０に備わるトラッキングアクチュエータ及びフォーカシングアクチュエータを駆動する。前記システムコントローラ２７０は、トラッキング制御のために、前記スピンドルモータ２１０、前記スレッドモータ２２０、及び前記サーボ制御部２４０を制御する。
【０００５】
図１のような光ディスクの螺旋形トラックには、オーディオまたはビデオ情報がピットなどの形態に形成され、再生時に前記ピックアップ装置２３０に備わる光素子は、そのような螺旋形のトラックを追跡して光ディスクに記録された情報からＲＦ（Ｒａｄｉｏ Ｆｒｅｑｕｅｎｃｙ）信号を生成する。また、記録時前記ピックアップ装置２３０は、エンコーディングされたデータを前記再生及び記録部２５０から受けて処理して、レーザーダイオードを利用して光ディスクの各トラックにピットなどの形態に該当データを光ディスクに記録できる。前記システムコントローラ２７０は、ホストコンピューターとのインターフェースによって、前記再生及び記録部２５０でデコーディングされたデータをコンピュータに伝送するか、コンピュータから受信された記録データを前記再生及び記録部２５０に伝達する。
【０００６】
前記ウォッブル信号検出部２６０は、前記ピックアップ装置２３０から生成されたＲＦ信号を処理して光ディスクごとに固有なウォッブル信号ＷＯＢＢを生成する。前記ウォッブル信号ＷＯＢＢの生成に利用されるＲＦ信号は、図３のように、前記ピックアップ装置２３０に備わった４個の光素子のうちＡ及びＤでピックアップされた信号の和であるＡＤ信号、及びＢとＣからピックアップされた信号の和であるＢＣ信号からなる。
前記ウォッブル信号検出部２６０は、前記ＡＤ信号を一定レベルに増幅し、前記ＢＣ信号を一定レベルに増幅し、増幅された信号の差から前記ウォッブル信号ＷＯＢＢを生成する。前記検出されたウォッブル信号ＷＯＢＢは、前記システムコントローラ２７０で現在追跡中のトラックの位置情報として利用され、記録時に必要なタイミングクロック信号を生成する基礎信号となる。
【０００７】
図４は、従来の方法で検出されたウォッブル信号の一例である。図４を参照すれば、低周波信号４２０が混ざっている実際検出されたウォッブル信号ＷＯＢＢ ４１０を示す。ここでは、前記検出されたウォッブル信号ＷＯＢＢ ４１０が一対の差動信号で図示されている。理想的な場合には、４２０のように低周波信号のみからなるノイズのないウォッブル信号が検出されるが、図３のような二つの処理経路上で増幅されたＡＤ信号とＢＣ信号との間の位相が変わることによって、実際回路上では４１０のように高周波ノイズが混ざったウォッブル信号が検出されうるという問題点がある。前記増幅されたＡＤ信号とＢＣ信号との間の位相が変わるということは、各経路で利用される増幅器のオフセットや周波数特性の差、連結メタルラインの長さの差、寄生キャパシタンスの差によって現れうる。
【０００８】
このような二つの信号間の位相差は、低倍速モードでは問題にならないが、高倍速では無視できない程度である。例えば、一般的な光ドライブでは１６倍速の高倍速を要求しており、この時、システムは約８０ＭＨｚ程度で動作する。このようなシステムクロック信号の周期は約１２．５ｎｓｅｃであり、この時、数ｎｓｅｃの位相差でも図４の４１０のようにノイズのあるウォッブル信号が検出される。
【発明の開示】
【発明が解決しようとする課題】
【０００９】
したがって、本発明が解決しようとする技術的課題は、高倍速で動作周波数増加によるノイズのないウォッブル信号を検出するために、ＲＦ信号を処理する二つの経路上の信号の位相を調整して一致させる光ディスクドライブのウォッブル信号検出装置を提供するところにある。
本発明が解決しようとする他の技術的課題は、ディレイセルをコントロールしてＲＦ信号処理経路上の信号の位相を調整してノイズのないウォッブル信号を検出する方法を提供するところにある。
【課題を解決するための手段】
【００１０】
前記の技術的課題を達成するための本発明の一面による光ディスクドライブのウォッブル検出器は、第１増幅部、第２増幅部、少なくとも一つのディレイセル、及び減算器を備えることを特徴とする。
前記第１増幅部は第１ ＲＦ信号を増幅する。前記第２増幅部は第２ ＲＦ信号を増幅する。前記少なくとも一つのディレイセルは、前記第１増幅部の出力及び前記第２増幅部の出力のうち少なくとも一つの位相を調整して、互いの位相が同じであるか、少なくとも互いの位相差が減少した信号を出力する。前記減算器は、前記少なくとも位相差が減少した信号間の差信号をウォッブル信号として生成する。
前記第１及び第２ ＲＦ信号それぞれは、光ディスクから情報を読み取る光ピックアップ装置に含まれた相異なる二つの光素子からピックアップされた信号が合成された信号であることを特徴とする。
前記少なくとも一つのディレイセルは、レジスタに設定された値によって位相を調整することを特徴とする。前記レジスタ値はユーザーが設定するか、前記第１増幅部の出力及び前記第２増幅部の出力によって自動設定されるか、または前記生成されたウォッブル信号のフィードバックによって自動設定できる。
【００１１】
前記の他の技術的課題を達成するための本発明の他の一面による光ディスクドライブのウォッブル検出方法は、第１ ＲＦ信号を増幅するステップと、第２ ＲＦ信号を増幅するステップと、前記増幅された信号のうち少なくとも一つの位相を調整して、互いの位相が同じであるか、または少なくとも互いの位相差が減少した信号を出力するステップと、前記少なくとも位相差が減少した信号間の差信号をウォッブル信号として生成するステップと、を含むことを特徴とする。
【００１２】
本発明と本発明の動作上の利点及び本発明の実施によって達成される目的を十分に理解するためには、本発明の望ましい実施形態を例示する添付図面及び添付図面に記載された内容を参照せねばならない。
【発明の効果】
【００１３】
本発明による光ディスクドライブでは、ディレイセルを利用してＲＦ信号処理経路上で増幅された信号の位相を一致させるので、増幅器特性や寄生負荷などに敏感でなく安定的でかつ正確な高周波ウォッブル信号を検出でき、これによりＤＶＤ−ＲＷなどに情報記録時に正確なトラッキング追跡を可能にする。
【発明を実施するための最良の形態】
【００１４】
以下、添付した図面を参照して本発明の望ましい実施形態を説明することによって、本発明を詳細に説明する。各図面に提示された同じ参照符号は同じ部材を表す。
【００１５】
図５は、本発明の一実施形態による光ディスクドライブのウォッブル信号検出器５００のブロック図である。図５を参照すれば、前記ウォッブル信号検出器５００は、基礎ウォッブル抽出器５１０、帯域通過フィルター（Ｂａｎｄ Ｐａｓｓ Ｆｉｌｔｅｒ：ＢＰＦ）５２０、比較器５３０、及び位相同期ループ（Ｐｈａｓｅ−Ｌｏｃｋｅｄ Ｌｏｏｐ：ＰＬＬ）５４０を備える。
前記基礎ウォッブル抽出器５１０は、図２のピックアップ装置２３０に備わった、図３のような４個の光素子のうちＡ及びＤでピックアップされたＲＦ信号の和であるＡＤ信号、及びＢとＣでピックアップされたＲＦ信号の和であるＢＣ信号を入力される。前記基礎ウォッブル抽出器５１０は、前記ＡＤ信号及び前記ＢＣ信号から基礎ウォッブル信号ＷＯＢＢを生成する。前記基礎ウォッブル抽出器５１０については、図６でさらに詳細に説明される。
前記ＢＰＦ５２０は、前記基礎ウォッブル信号ＷＯＢＢから不要なノイズを除去して光ディスクのウォッブルに該当する一定周波数帯域の信号を検出する。前記比較器５３０は、臨界値と比較して前記ＢＰＦ５２０の出力信号を２進デジタル信号に変換し、前記ＰＬＬ５４０は、前記比較器５３０の出力信号によって周波数が一定にロッキングされた最終ウォッブル信号を生成する。
前記検出された最終ウォッブル信号は、図２のようなシステムコントローラ２７０で現在追跡中の光ディスクトラックの位置情報として利用され、記録時に必要なタイミングクロック信号を生成する基礎信号となる。
【００１６】
図６は、図５の基礎ウォッブル抽出器５１０の具体的なブロック図である。図６を参照すれば、前記基礎ウォッブル抽出器５１０は、第１増幅部５１１、第２増幅部５１４、第１ディレイセル５１７、第２ディレイセル５１８、及び減算器５１９を備える。
前記第１増幅部５１１は、第１増幅器５１２及び第１自動ゲインコントローラ（Ａｕｔｏｍａｔｉｃ Ｇａｉｎ Ｃｏｎｔｒｏｌｌｅｒ：ＡＧＣ）５１３を備える。前記第１増幅器５１２は、前記ＡＤ信号の大きさをプリアンプする。前記第１ ＡＧＣ ５１３は、前記第１増幅器５１２の出力を一定の大きさに合わせて出力する。
前記第２増幅部５１４は前記第１増幅部５１１と類似した構造であり、第２増幅器５１５及び第２ ＡＧＣ ５１６を備える。前記第２増幅器５１５は、前記ＢＣ信号の大きさをプリアンプする。前記第２ ＡＧＣ ５１６は、前記第２増幅器５１５の出力を一定の大きさに合わせて出力する。
本発明では、前記第１増幅部５１１の出力及び前記第２増幅部５１４の出力の位相が互いに同じであるか、少なくとも互いの位相差が減少した信号を前記減算器５１９に出力することによって、ノイズのないウォッブル信号を検出させる。
このために、前記基礎ウォッブル抽出器５１０の前記第１ディレイセル５１７は、前記第１増幅部５１１の出力の位相を調整し、前記第２ディレイセル５１８は、前記第２増幅部５１４の出力の位相を調整する。これにより、前記減算器５１９は、前記第１ディレイセル５１７及び前記第２ディレイセル５１８で位相調整された信号間の差信号を前記基礎ウォッブル信号ＷＯＢＢとして生成する。
【００１７】
図７は、本発明によって検出された基礎ウォッブル信号ＷＯＢＢの一例である。図７を参照すれば、前記基礎ウォッブル信号ＷＯＢＢは７１０のように、図４の４１０よりはるかにノイズもなく検出されている。図７では、前記検出された基礎ウォッブル信号ＷＯＢＢ７１０にある程度高周波ノイズが混ざっていることが図示されているが、前記第１ディレイセル５１７及び前記第２ディレイセル５１８で位相調整された出力信号間の位相差がほとんどない程度ならば、理想的な場合に７２０のようにさらにノイズのない基礎ウォッブル信号ＷＯＢＢが生成されうる。
このように本発明では、前記第１増幅部５１１及び前記第２増幅部５１４で増幅されたＡＤ信号及びＢＣ信号がディレイセル５１７、５１８で位相調整されることによって、各増幅経路で利用される増幅器のオフセットや周波数特性の差、連結メタルラインの長さの差、寄生キャパシタンスの差による影響をなくすことができる。これにより、前記基礎ウォッブル信号ＷＯＢＢがノイズもなく検出されるならば、前記ＰＬＬ５４０の入力ジッタが減少して、前記ＰＬＬ５４０は、正確かつ早くウォッブルロッキングを行える。
【００１８】
以下、前記ディレイセル５１７、５１８を制御するコントロール値ＣＯＮ１、ＣＯＮ２の生成方法を説明する。前記ディレイセル５１７、５１８は、一定のレジスタに設定されるコントロール値ＣＯＮ１、ＣＯＮ２によって位相を調整する。
図８は、図６のディレイセルについてのコントロール回路８００の一例である。図８を参照すれば、前記コントロール回路８００は、第１レジスタ８１０及び第２レジスタ８２０を含み、これらはユーザーによって設定される値ＣＯＮ１、ＣＯＮ２を持つことができる。
前記第１レジスタ８１０に設定される値ＣＯＮ１によって、図６の前記第１ディレイセル５１７が前記第１増幅部５１１の出力の位相を調整し、前記第２レジスタ８２０に設定される値ＣＯＮ２によって、図６の前記第２ディレイセル５１８が前記第２増幅部５１４の出力の位相を調整する。前記ディレイセル５１７、５１８は、前記増幅部５１１、５１４の出力の位相を調整して、位相調整された出力信号間の位相差をほとんどなくす。
例えば、前記第１増幅部５１１の出力が前記第２増幅部５１４の出力より先行するならば（ｌｅａｄ）、前記第１ディレイセル５１７は、前記第１レジスタ８１０の設定値ＣＯＮ１によって前記第１増幅部５１１の出力を時間的にさらに遅延させ、前記第２ディレイセル５１８は、前記第２レジスタ８２０の設定値ＣＯＮ２によって前記第２増幅部５１４の出力を逆方向にさらに操り上げることができる。これは、前記第１レジスタ８１０の設定値ＣＯＮ１をデジタル的に前記第２レジスタ８２０の設定値ＣＯＮ２の逆にして具現してもよく、前記設定値ＣＯＮ１、ＣＯＮ２は同じくし、前記ディレイセル５１７、５１８の内部回路は逆に動作させることによって具現できる。前記第１増幅部５１１の出力が前記第２増幅部５１４の出力より遅れるならば（ｌａｇ）、前記ディレイセル５１７、５１８は前記の動作と逆に位相調整する。
【００１９】
または、前記第１レジスタ８１０や前記第２レジスタ８２０のうちいずれか一つのみ使われてもよい。例えば、前記第１レジスタ８１０だけ使われる場合に、前記第２ディレイセル５１８は位相調整せず、前記第１ディレイセル５１７のみ前記第１レジスタ８１０の設定値ＣＯＮ１によって前記第１増幅部５１１の出力を時間的にさらに遅延させるか、さらに操り上げて位相調整することができる。この時には、前記第１増幅部５１１の出力の位相調整された信号は前記減算器５１９に入力され、前記第２増幅部５１４の出力は直接前記減算器５１９に入力される。前記第１レジスタ８１０が使われずに前記第２レジスタ８２０のみ使われてもよい。
【００２０】
図９は、図６のディレイセルについてのコントロール回路９００の他の例である。図９を参照すれば、前記コントロール回路９００は、第１比較器９１０、第２比較器９２０、ＮＡＮＤロジック９３０、積分器９４０、第１レジスタ９５０、及び第２レジスタ９６０を備える。ここでは、図６の前記ディレイセル５１７、５１８をコントロールする前記第１レジスタ９５０、及び第２レジスタ９６０の値ＣＯＮ１、ＣＯＮ２が、図６の前記第１増幅部５１１の出力及び前記第２増幅部５１４の出力によって自動設定される方法を説明する。
前記第１比較器９１０は、図６の前記第１ ＡＧＣ ５１３の出力をデジタル信号に変換する。例えば、図１０のように、前記第１比較器９１０は、臨界値と前記第１ ＡＧＣ ５１３の出力とを比較し、前記第１ ＡＧＣ ５１３の出力が前記臨界値より大きければロジックハイ（ｈｉｇｈ）信号を出力し、そうでなければロジックロー（ｌｏｗ）信号を出力する。前記第２比較器９２０は、前記第２ ＡＧＣ ５１６の出力をデジタル信号に変換する。
前記ＮＡＮＤロジック９３０は、前記第１比較器９１０及び前記第２比較器９２０でデジタル変換された信号を入力されて、図１０のようにＮＡＮＤ演算結果を出力する。前記積分器９４０は、前記ＮＡＮＤロジック９３０の出力を積分して一定ＤＣ値を出力する。前記第１レジスタ９５０及び前記第２レジスタ９６０は、前記積分器９４０の出力の大きさによって一定値を設定する。
これにより、図６の前記ディレイセル５１７、５１８は、前記増幅部５１１、５１４の出力の位相を調整して、位相調整された出力信号間の位相差をほとんどなくす。図８で説明されたように、前記第１ディレイセル５１７と前記第２ディレイセル５１８とは時間的に互い逆方向に位相調整してもよく、前記第１ディレイセル５１７と前記第２ディレイセル５１８のうちいずれか一つのみ位相調整してもよい。
【００２１】
図１１は、図６の前記第１増幅部５１１の出力及び前記第２増幅部５１４の出力によって前記レジスタ値ＣＯＮ１、ＣＯＮ２を自動設定するコントロール回路１１００のさらに他の例である。前記コントロール回路１１００は、カウンタ１１１０、第１レジスタ１１２０、及び第２レジスタ１１３０を備える。図９のＮＡＮＤロジック９３０の出力が前記カウンタ１１１０に入力される。
すなわち、前記カウンタ１１１０は、前記ＮＡＮＤロジック９３０のパルス幅をクロック信号でカウントして、図１０のようにカウントしたクロックパルス数値を出力する。前記第１レジスタ１１２０及び前記第２レジスタ１１３０は、前記カウントサイズによって一定値を設定する。
【００２２】
図１２は、図６のディレイセルに対するコントロール回路１２００のさらに他の例である。前記コントロール回路１２００は、高周波通過フィルター（Ｈｉｇｈ Ｐａｓｓ Ｆｉｌｔｅｒ：ＨＰＦ）１２１０、ピーク検出器１２２０、第１レジスタ１２３０、及び第２レジスタ１２４０を備える。ここでは、図６の前記ディレイセル５１７、５１８をコントロールする前記第１レジスタ１２３０、及び第２レジスタ１２４０の値ＣＯＮ１、ＣＯＮ２が、図６の前記減算器５１９で生成された基礎ウォッブル信号ＷＯＢＢのフィードバックによって自動設定される方法を説明する。
前記ＨＰＦ １２１０は、前記減算器５１９からフィードバックされる前記基礎ウォッブル信号ＷＯＢＢを高周波通過フィルタリングする。例えば、図６の前記ディレイセル５１７、５１８で位相調整された出力信号の位相差がほとんどなければ、図６の前記減算器５１９の出力には、図７の７２０のように高周波ノイズがほとんど現れず、この時には前記ＨＰＦ １２１０の出力のピーク・ツー・ピーク（ｐｅａｋ ｔｏ ｐｅａｋ）サイズが小さく現れる。同様に、図６の前記ディレイセル５１７、５１８で位相調整された出力信号の位相差が大きいならば、図６の前記減算器５１９の出力には図７の７１０のように高周波ノイズが大きく現れ、この時には、前記ＨＰＦ １２１０の出力のピーク・ツー・ピークが大きく現れる。
前記ピーク検出器１２２０は、前記ＨＰＦ １２１０の出力のピーク・ツー・ピークサイズを検出する。これにより、前記第１レジスタ１２３０及び前記第２レジスタ１２４０は、前記ピーク・ツー・ピークサイズによって一定値を設定する。
これにより、図６の前記ディレイセル５１７、５１８は前記増幅部５１１、５１４の出力の位相を調整して、位相調整された出力信号間の位相差をほとんどなくす。図８で説明されたように、前記第１ディレイセル５１７と前記第２ディレイセル５１８とは時間的に互いに逆方向に位相調整してもよく、前記第１ディレイセル５１７と前記第２ディレイセル５１８のうちいずれか一つのみ位相調整してもよい。
【００２３】
前述したように本発明による光ディスクドライブのウォッブル信号検出器５００では、第１増幅部５１１で増幅されたＡＤ信号及び第２増幅部５１４で増幅されたＢＣ信号の位相が互いに一致するように前記増幅された信号がディレイセル５１７、５１８で位相調整され、減算器５１９が前記位相調整された信号間の差信号を基礎ウォッブル信号ＷＯＢＢとして生成する。前記生成された基礎ウォッブル信号ＷＯＢＢは、位相ロッキングされたデジタルの最終ウォッブル信号を生成する基盤となる。
【００２４】
以上のように図面及び明細書で最適の実施形態が開示された。ここで特定の用語が使われたが、これは単に本発明を説明するための目的で使われたものであって、意味限定や特許請求の範囲に記載された本発明の範囲を制限するために使われたものではない。したがって、当業者ならばこれより多様な変形及び均等な他の実施形態が可能であるという点を理解できるであろう。したがって、本発明の真の技術的保護範囲は、特許請求の範囲の技術的思想により定められねばならない。
【産業上の利用可能性】
【００２５】
本発明は、光ドライブまたは光ディスクの再生／記録システムに利用できる。
【図面の簡単な説明】
【００２６】
【図１】セクターを表示した一般的な光ディスクを示す図面である。
【図２】一般的な光ディスクドライブのブロック図である。
【図３】一般的なウォッブル信号検出方法を説明するための図面である。
【図４】従来の方法で検出されたウォッブル信号の一例を示す図面である。
【図５】本発明の一実施形態によるウォッブル信号検出器のブロック図である。
【図６】図５の基礎ウォッブル抽出器の具体的なブロック図である。
【図７】本発明によって検出されたウォッブル信号の一例を示す図面である。
【図８】図６のディレイセルについてのコントロール回路の一例を示す図面である。
【図９】図６のディレイセルに対するコントロール回路の他の例を示す図面である。
【図１０】図９の回路の動作説明のための信号の波形図である。
【図１１】図６のディレイセルに対するコントロール回路のさらに他の例を示す図面である。
【図１２】図６のディレイセルに対するコントロール回路のさらに他の例を示す図面である。
【符号の説明】
【００２７】
５１０  基礎ウォッブル抽出器
５１１  第１増幅部
５１２  第１増幅器
５１３  第１ ＡＧＣ
５１４  第２増幅部
５１５  第２増幅器
５１６  第２ ＡＧＣ
５１７  第１ディレイセル
５１８  第２ディレイセル
５１９  減算器
【図１】
2007026641.tif 000003
【図２】
2007026641.tif 000004
【図３】
2007026641.tif 000005
【図４】
2007026641.tif 000006
【図５】
2007026641.tif 000007
【図６】
2007026641.tif 000008
【図７】
2007026641.tif 000009
【図８】
2007026641.tif 000010
【図９】
2007026641.tif 000011
【図１０】
2007026641.tif 000012
【図１１】
2007026641.tif 000013
【図１２】
2007026641.tif 000014